(57)【要約】  電気メッキ装置（１１）のための接触装置は、つながった堅固な外側（２６、２７）を備えた接触ローラ（２０）を有しており、その外側がスリーブ部分（２２）と結合されている。スリーブ部分（２２）は、内側開口部（２３）を有しており、その内側開口部は、接触ローラ（２０）が取り付けられている、回転する軸（３０）よりも広い。すなわち、径方向における接触ローラ（２０）の移動可能性が与えられており、ばね（３２）を介して電気的接触と、基本位置のための位置固定が達成される。移動可能であることによって、基板が凹凸を有する場合でも、基板（１６）に添接することにより良好な接触が保証され、圧接力を比較的小さくすることができる。
2009503263.tif 000002
【特許請求の範囲】
【請求項１】
処理チャンバ（１２）を通る通過ルート上で基板（１６）またはフラットな対象を、電解溶液（１４）のような処理媒体で処理する装置、特に基板用の電気メッキ装置（１１）であって、
処理チャンバ（１２）を通して基板を移送するための移送手段（１８）と、電気的に接触させ、ないしは導体装置（２１）から基板へ電流供給するための接触手段（２０）と、を有し、接触手段が、基板（１６）に添接するための、堅固かつ閉成されてつながった表面ないし外側（２７）と、実質的に硬い支持リング（２２）とを有しており、表面ないし外側（２７）が支持リング（２２）に取り付けられ、あるいはそれによって形成されている、ものにおいて、
支持リング（２２）が、貫通する内側開口部（２３）を有しており、前記内側開口部（２３）の内法幅が、少なくとも１つの接触手段（２０）が保持されている軸（３０）の直径を上回っており、表面ないし外側（２７）から導体装置（２１）へのフレキシブルな、あるいは、連続した恒久的な電気的接触（３２）が設けられている、
ことを特徴とする基板を処理する装置。
【請求項２】
前記接触（３２）が、軸（３０）へ通じている、ことを特徴とする請求項１に記載の装置。
【請求項３】
前記内法幅が、軸（３０）の直径よりも少なくとも５％、好ましくは約１０％だけ大きく、好ましくは内側開口部（２３）と軸（３０）が同種ないし同一の断面を有している、ことを特徴とする請求項１または２に記載の装置。
【請求項４】
支持リング（２２）が、長手方向の延びにおいて軸（３０）に沿って、スリーブ状ないしパイプ状に形成されており、好ましくは、その長さが、軸の直径よりも大きい、ことを特徴とする請求項１から３のいずれか１項に記載の装置。
【請求項５】
支持リング（２２）から径方向にフランジ（２４）の形式で、特に中央で、接触手段（２０）の表面ないし外側（２７）が張り出しており、好ましくは前記表面ないし外側に、拡幅部（２６）および／または扁平部が設けられている、
ことを特徴とする請求項４に記載の装置。
【請求項６】
支持リング（２２）が、表面ないし外側（２７）と共に、同一の材料から、特に金属から、一体的に形成されている、ことを特徴とする請求項１から５のいずれか１項に記載の装置。
【請求項７】
フレキシブルな接触（３２）が、特に軸（３０）に対する支持リング（２２）の運動を補償するため、好ましくは径方向の運動を補償するために、弾性的に形成されている、ことを特徴とする請求項１から６のいずれか１項に記載の装置。
【請求項８】
軸（３０）に支持リング（２２）を保持する弾性的ないし可撓性の保持部材（３２）が設けられており、好ましくは支持リングが軸上における基本位置を有しており、その基本位置において支持リングが軸上にほぼ同心に取り付けられ、支持リング（２２）が基本位置から変位した場合に保持部材（３２）が復帰力ないしばね力を発生する、ことを特徴とする請求項１から７のいずれか１項に記載の装置。
【請求項９】
保持部材（３２）が、支持リング（２２）の、軸（３０）の長手方向における基本位置からの所定の長手方向における位置への移動を可能ならしめ、好ましくは保持部材（３２）は、基本位置を離れた場合に、基本位置へ復帰させるために、対抗力ないしばね力を発生する、ことを特徴とする請求項８に記載の装置。
【請求項１０】
保持部材（３２）が、軸（３０）の長手方向の一部分においてコイルばね形状で延びており、保持部材が支持リング（２２）の横側で少なくとも１つの一周する巻き（３４）によって軸（３０）に係合または結合し、さらに、側方に徐々に拡大する巻き（３６）を有しており、前記巻きが支持リング（２２）のスリーブ状またはパイプ状の部分を支持するように係合している、ことを特徴とする請求項８または９に記載の装置。
【請求項１１】
この種の２つのコイルばね（３２）が、支持リング（２２）のパイプ状またはスリーブ状の部分の両方の端部から、互いに離れる方向に軸（３０）に達するまで延伸し、軸と結合され、ないしは軸に固定されている、ことを特徴とする請求項１０に記載の装置。
【請求項１２】
フレキシブルな接触（３２）が、保持部材を形成している、ことを特徴とする請求項７と８および９から１１のいずれか１項に記載の装置。
【請求項１３】
接触手段（２０）に、特に外側（２７）に、接触手段を基板（１６）の上面から離れるように移動させるために、好ましくは恒久的な係合で、移動装置（４０）が作用する、ことを特徴とする請求項１から１２のいずれか１項に記載の装置。
【請求項１４】
基板（１６）が通過ルート上を通過する場合に、その下側だけが処理媒体（１４）と接触する、ことを特徴とする請求項１から１３のいずれか１項に記載の装置。
【請求項１５】
接触手段（２０）が、基板（１６）の上側に、特に上側だけに、載置される、ことを特徴とする請求項１から１４のいずれか１項、特に１４に記載の装置。
【請求項１６】
基板（１６）の下方に、特に処理媒体（１４）の内部に、光源（４２）が配置されており、特に光源（４２）が細長く、ないしはチューブとして形成されており、かつ場合によっては通過ルートに対して横方向に延びている、ことを特徴とする請求項１から１５のいずれか１項に記載の装置。
【発明の詳細な説明】
【技術分野】
【０００１】
本発明は、請求項１の前文に記載の、基板またはフラットな対象を処理する装置、特に基板のための電気メッキ装置またはソーラーモジュールをコーティングする装置に関する。
【背景技術】
【０００２】
特許文献１からは、コーティングすべき基板に電気的に接触するための接触ローラが記載されており、その外周に沿って個々の接触フィールドが設けられている。これらは、特にソフトなプラスチックからなるローラボディと移動可能ないし弾性的に結合されるか、あるいは回転する軸と弾性的に結合されている。これは、特に、平面的に伸張された接触フィールドを、できるだけ良好に接触させるために、基板上にできるだけ平面的に載置しようとしている。
【０００３】
さらに、恒久的に接触させるために、たとえば保護電極としても、その外側においてつながっている金属ホィールを、接触手段としてコーティングすべき、あるいは処理すべき基板に添接させることが、知られている。
【特許文献１】独国特許公開Ａ−１０３２３６６０
【特許文献２】欧州特許Ａ−５４２１４８
【発明の開示】
【発明が解決しようとする課題】
【０００４】
本発明の課題は、従来技術の問題を回避することができ、かつ特に、接触を保証しながら、接触手段の添接によって基板に作用する圧力をできるだけ小さく抑えることができる、冒頭で挙げた装置ないしそのための接触手段を提供することである。
【課題を解決するための手段】
【０００５】
この課題は、請求項１の特徴を有する装置によって、解決される。本発明の効果的かつ好ましい形態が、他の請求項の対象であって、以下で詳細に説明される。請求項のテキストは、明確に参照することによって、明細書の内容とされる。
【０００６】
基板は、たとえば処理媒体、たとえば電解溶液を含む処理チャンバを通る通過ルート上を走行する。通過するために移送手段が設けられており、その移送手段が基板を支持すると共に、処理チャンバを通して移送する。さらに、接触手段が設けられており、その接触手段によって導体装置を介して電気的接触ないし基板への電流供給が行われる。この接触手段は、堅固な、あるいは閉成されてつながった表面ないし外側を有しており、その外側が基板に添接する。接触手段は、インナー部分の形式の、実質的に硬い支持リングも有しており、上述した表面ないし外側が別体の部分としての支持リングに取り付けられ、あるいはそれによって一体的に形成されている。本発明によれば、支持リングは、つながった内側開口部を有している。この内側開口部の内法幅は、接触手段が保持され、ないしは取り付けられている軸の直径を超えている。付加的に、さらに、表面ないし外側から導体装置へのフレキシブルな、あるいはつながった電気的接触が設けられている。インナー開口部の内法幅の方が大きいことによって、支持リングは軸上で所定の移動可能性を有しており、ないしは基板から離れるように移動可能であり、あるいは変位することができる。すなわち、接触された基板は極めてていねいに扱われ、ないしは、通常接触ローラの添接などによって生じる著しい機械的負荷を受けない。いわゆる接触手段における接触を、同時に維持しながら、基板の凹凸またはより厚い領域を回避するために、接触を維持しながら、接触手段全体が簡単に離れるように移動され、ないしは変位される。表面ないし外側を導体装置ないし電流供給部などに付加的にフレキシブルに接触させることによって、軸上で接触手段が移動可能であるにもかかわらず、より確実な電気的接触が得られる。本発明の他の形態においては、電流供給を軸を介して、ないしは少なくとも軸の一部を介して、行うことが可能である。これは、たとえば、接触手段の領域内にタップを有する、軸の外側における電流供給である。
【０００７】
支持リングを直接軸上にではなく肥厚部または付加的なスリーブなどの上に軸承することも、本発明の枠内にあると見なされる。本発明にとって重要なことは、接触手段の支持リングが半径方向に、好ましくは任意の半径方向に、あそびをもって軸上に取り付けられ、ないしは保持されることである。は支持リングは、軸自体と必ずしも直接接触する必要はない。
【０００８】
接触手段ないし支持リングの内側開口部の内法幅は、軸断面よりも少なくとも５％、好ましくは約１０％だけ大きい。好ましくは、内側開口部と軸は、同種の横断面を有し、特にそれぞれ円形である。
【０００９】
支持リングは、軸に沿った所定の長手方向の延びをもって、スリーブ状、カラー状またはパイプ状に形成することができる。この長手方向の延びによって、支持リングは、比較的大きい内法幅とそれに伴ってややルーズな取付けを別にして、軸から変位することができるが、余りに強く側方へ傾くことはない。そのための寸法として、たとえば、支持リングは軸の直径ないしその内側開口部の内法幅よりも長くすることができる。支持リングの、このスリーブ状ないしパイプ状の部分から、半径方向に、表面ないし外側を有する、ある種のフランジが張り出している。このフランジは、好ましくは支持リングの中央から張り出している。表面ないし外側は、特に好ましくは、基板に添接する場合に接触する面を増大させるために、突出するフランジの拡幅部ないし扁平部を形成する。接触手段が、軸に対して垂直な面に対して鏡対称かつ外側の中央を通って形成されている場合に、基板上に添接した場合に、傾倒モーメントは加わらず、接触は極めて均一に行われる。
【００１０】
接触手段の簡単な形成において、支持リングは表面ないし外側と共に一体的に、特に同一の材料から、好ましくはたとえば銅のような金属から、形成されている。そのために、種々の部分をまとめることができ、あるいは接触手段を唯一の金属部分から成形することができる。
【００１１】
表面ないし外側へのフレキシブルな接触は、ばね変位するように、ないしは弾性的に形成することができる。特に、軸に対する支持リングないし外側の移動を、特にそれが径方向の移動である場合に、補償することができる。さらに、この移動は、調節することができるが、それについては後でさらに詳細に説明する。
【００１２】
本発明の好ましい形態において、支持リングを軸に弾性的ないしばね変位するように保持する保持部材が設けられている。支持リングは、基本位置において軸上にほぼ同心に取り付けることができ、特に表面ないし外側が軸に対して同心である。支持リングないし接触手段が、基本位置から、特に径方向かつ基板から離れるように、変位した場合に、ばね変位する保持部材が、基本位置への復帰をもたらす力を構築する。また、基本位置は、そこにおいて通常接触手段が正確に所望のやり方でそばを通過する基板に接触するように、設計されている。それぞれ所望の適用ないし接触手段の所望の復帰力に従って、保持部材におけるばね力の大きさを定めることができる。たとえば、ばね変位する保持を上述したフレキシブルな接触と共に形成し、ないしはばね変位する保持部材を介して接触を行うこと、従って２つの機能を１つの構成部品にまとめることも、可能である。
【００１３】
弾性的な保持部材の他の形態において、保持部材を、支持リングが基本位置から軸の長手方向に少し移動するように、形成することが可能である。好ましくは長手方向移動後に、弾性的な保持部材によって、特に径方向の移動後の復帰の場合と同一のばねまたは同一のばね装置によって、復帰力が構築される。従ってそれによって、表面ないし外側とそれに伴って接触手段全体が軸に移動可能に軸承されることが、可能である。弾性的な保持手段によって、接触手段はその変位した位置からそれぞれ基本位置へ復帰される。好ましくは、基本位置への復帰をもたらす、ばね力は、極めて小さく選択することができるので、凹凸がある場合に接触すべき基板への圧接力は小さく、それによってたとえば薄いガラスからなる敏感なソーラーモジュールにおいて、損傷を回避することができる。
【００１４】
この種のばね変位する保持部材は、軸の長手領域にわたって、たとえばコイルばね状に延びることができる。保持部材は、支持装置の側方に並んで軸に添接することができ、あるいはたとえば少なくとも１つの密着する巻きによって、軸と結合することができる。側方向の広がりにおいて支持リングへ向かって、巻きが大きくなることができ、支持リングの上述したスリーブ状またはパイプ状の部分を把持して保持することができる。この種のばね変位する保持部材は、支持リングの両側に設けることができ、かつこの支持リングを基本位置に保持することができる。保持部材は、すでに上述したように、軸を介して支持リングへの、従って接触手段への電気的な接触を形成することもできる。
【００１５】
好ましくは、本発明に基づく装置において、処理媒体は基板の下側だけに達するようにすることができる。すなわち、基板の上側をそのままにしておくことができ、それは、一方では、接触挙動に関して効果的であることができ、他方では汚れを著しく少なく抑える。特に、それに関連して、接触手段を基板の上側に、従って処理媒体から自由な領域に、載置することもできる。特に、接触手段は、上側のみに添接する。接触手段が処理媒体と接触しない場合には、コーティング材料が望ましくないやり方で接触手段に固着することが、回避される。従って、手間をかけてそれを除去する必要はない。
【００１６】
本発明の他の形態において、処理チャンバ内で基板の下側に光源を設けることができる。特にソーラーモジュールをコーティングする場合には、これは、従来技術から、たとえば特許文献２から当業者に知られているように、光作用によってコーティングプロセスを積極的に調節することができる、という利点を有している。光源は、細長く、あるいはチューブとして形成することができ、場合によっては通過ルートに対して横方向に延びる。
【００１７】
これらの特徴と他の特徴は、請求項から明らかにされる他に、明細書と図面からも明らかにされ、個々の特徴はそれ自体単独で、あるいは複数を互いに組み合わせた形式で、本発明の実施形態において、かつ他の分野において実現することができ、好ましく、かつそれ自体保護可能な形態を表すことができ、それについてここで保護が請求される。出願を個々の部分と中間見出しに分割することは、これらの元で行われる説明をその普遍性において制限するものではない。
【００１８】
本発明の実施例が、図面に図式的に示されており、以下で詳細に説明される。図面において、図１は、軸上の本発明に基づく接触手段を通過方向に見る上面図であり、図２は、図１に基づく接触手段を著しく拡大して表示しており、図３は、この接触手段を有する電気メッキ装置を示す側面図である。
【発明を実施するための最良の形態】
【００１９】
図１には、接触手段としての接触ローラ２０が通過方向に見て上面図で示されており、その接触ローラは軸３０上に軸承されており、かつソーラーモジュールまたは導体プレートのような基板１６の上側に載置されている。図１から明らかなように、たとえば、それ自体知られているように、電気的接触をより良く分配するために、軸３０上に２つの接触ローラ２０が基板１６のために並べて配置されている。金属からなる、あるいは少なくとも電気的に導通する軸３０への電気的接触は、導体配置２１を介して行われる。複数レーンの基板１６を、場合によってはそのフォーマットに適合させながら、並べて移送することもできるので、異なるフォーマットの基板も正確に適合させて加工することができる。すなわち、通過ルートのために複数の移送ローラを並べて設けることができ、基板はそれぞれ正確に移送ローラの間に位置する。すなわち、基板は、側方へずれないように確保されている。移送ローラ上の基板の載置は、図１から明らかなように、この領域内で移送ローラが円錐状に形成されるように行うこともできる。すなわち、移送ローラにおける基板のセンタリングとまっすぐな方向づけが行われる。移送ローラの側方へ張り出した端縁が、基板の著しい変位を防止する。
【００２０】
接触ローラ２０の正確な構成が、図２における著しい拡大表示から明らかにされる。接触ローラ２０は、上述したスリーブ状ないしパイプ状の部分としてのスリーブ２２を有している。このスリーブ２２内に、内側開口部２３が設けられており、それを通して軸３０が延びている。内側開口部２３の内法幅は、軸３０のそれを著しく上回っているので、間隙２９が生じる。内側開口部２３と軸３０は、それぞれ円形なので、接触ローラ２０のスリーブ２２は、基板１６上が平らでない場合に、間隙２９の寸法だけ、たとえば上方または下方へ移動することができる。これを、以下でさらに詳細に説明する。
【００２１】
スリーブ２２の中央領域から、ほぼ直角にフランジ２４が張り出している。フランジは、拡幅されたフラットな外側２７を有するアウターリング２６へ移行している。図２から明らかなように、ここでは接触ローラ２０は、たとえば銅のような金属から、一体的に形成されている。スリーブ２２の長さによって、軸３０における接触ローラ２０の余りに強い傾きは、防止される。スリーブ２２、フランジ２４およびアウターリング２６を、それ自体細く、ないしは薄肉に形成することによって、傾き安全性と外側２７によるある程度広い接触面を保証しながら、軽量の構造を達成することができる。これは、特に、接触ローラ２０を基板１６の上側上に載置する力において、接触ローラの重さが役割を果たすので、重要である。
【００２２】
スリーブ２２の両方の端部は、コイルばね３２によって把持される。コイルばね３２は、それぞれ離れた、狭い端部において、好ましくは力と摩擦による、ずれない結合の元で、軸３０上に直接支持される。この結合は、軸３０に形成された溝によってさらに改良することができる。コイルばね３２の巻きは、接触ローラ２０ないしフランジ２４へ向かって広くなり、スリーブ２２の外側領域を把持する。スリーブは、図示のように、コイルばね３２の巻きの幅の連続的な増大を可能にするために、その外側を扁平にすることができる。コイルばね３２の巻きは、広い端部３６において直接スリーブ２２上に、特にフランジ２４のすぐ近傍において、支持される。コイルばね３２の巻きは、広い端部３６において、同様に、力と摩擦によってスリーブ２２上に取り付けられるように、形成することができ、場合によってはここでも穿設された溝などによって改良される。
【００２３】
コイルばね３２によって接触ローラ２０を軸３０上に弾性的に保持することによって、接触ローラは、上方へ変位した場合にその重力によってだけでなく、ばね力によっても再び下方へ移動されて、基板１６に添接する。すなわち、たとえば基板のエッジに乗り上げた場合に、接触ローラ２０が上方へジャンプして、短時間電気的接触が中断され、かつ常に押圧され続けることを、防止することができる。この押圧力は、敏感な基板を丁寧に扱うために、比較的小さい。さらに、弾性的な保持によって、接触ローラ２０は長手方向に摺動しないように固定され、ある程度の移動可能性が与えられている。もちろん、接触ローラ２０は変位後常にコイルばね３２によって図２に示す基本位置へ押し戻される。付加的に、コイルばね３２は、軸３０と、ここではまた導体配置２１および電流源１３へ接触ローラ２を電気的に接触させる課題を引き受ける。
【００２４】
同様な接触装置ないし電気メッキ装置において、軸３０上の接触ローラのもっと大きい移動可能性が必要になる場合には、内側開口部２３ないし間隙２９を拡大することができる。さらに、外側に添接するコイルばね３２の代わりに、内側開口部２３内に、たとえば径方向の弾性作用を有する、ばね装置を配置することも考えられ、それは極めて弾性的な種類の発泡材などであることができる。この種の発泡材は、他のスリーブとして、ないしホース状に、軸３０と内側開口部２３との間に挿入することができる。電気的接触は、たとえば、ここでも図示のコイルばね、あるいは、発泡材の導電性を介して、あるいは接触ローラ２０と軸３０または導体配置２１の間に自由に接続される導体を介して行われる。
【００２５】
基板１６上の凹凸を補償する他に、軸３０に対して接触ローラ２０が移動可能であることは、さらに、図示の移動装置４０を介して接触ローラを持ち上げるためにも、用いられる。移動装置のフック状の部分が、少なくとも一方の側から、好ましくは２つのフックが対向する両側から、アウターリング２６の下方へ嵌入して、基板１６から接触ローラ２０を強制的に持ち上げることができる。これは、たとえば、電流源１３の極性の反転によって、アウターリング２６における電解溶液１４からなる、望ましくないコーティングを除去するために、用いることができる。
【００２６】
硬くて中実であるが、基板に対して撓み、ないしは移動することができる、この種の移動可能に軸承された接触ローラ２０の利点は、従来技術に基づく弾性的な接触ローラに比較して、ここでは接触ローラの形成が、何倍も簡単になることにある。理解できるように、図２に示す接触ローラ２０は、中実の片から比較的容易に加工し、あるいは鋳造することができる。特に、接触ローラ自体は、移動可能な部分を持たない。コイルばね３２の形成は、同様に、特に複雑なことはない。両方の部品を軸３０に取り付けることについても、同じことが言える。接触ローラは、その形成に関係なく、摩耗部品として頻繁に交換しなければならないので、接触ローラの簡単で安価でもある形成が、特に重要である。
【００２７】
図３には、さらに、組付けを明らかにするために、電気メッキ装置１１全体が示されている。同装置は、電流源１３を備えた処理チャンバ１２を有しており、その電流源は、一方において、処理チャンバ１２内の電解溶液１４内の電極１５に接続され、他方においては、導体配置２１に接続されている。処理チャンバ１２内には、下方に移送ローラ１８がそれ自体知られた方法で配置されており、その上に基板１６が載置され、その移送ローラによって移送される。基板１６の上側上に、接触ローラ２０が添接している。図１からも、図３からも明らかなように、軸３０は連動ホィール３８を介して移送ローラ１８に添接し、かつこの移送ローラを介して一緒に回転され、ないしは駆動される。基板１６は、正確に移送ローラ１８の軸と接触ローラ２０の軸３０との間に延びているので、移送ローラ１８と接触ローラ２０は同一の速度で回転する。従って、たとえば移送ローラ１８の軸のみを駆動すれば済むようにすることも、可能である。
【００２８】
さらに、ライトチューブ４２が、基板１６の下方に、特にそれぞれ電極１５の間に配置されている。代替的に、光源を基板１６の上方に配置することもできる。このライトチューブ４２は、一点鎖線で記載された放射領域で、基板１６の下側を照射し、その下側がこの場合において好ましくはＰＶモジュールまたはソーラーモジュールである。それによって、たとえば特許文献２から知られているように、電気メッキ電流の自己発生によって電気メッキ作用を改良することができる。光源は、その強度において調節可能であって、それによってソーラーモジュールへの析離率を調節することができる。波長は、４００ｎｍと１１００ｎｍの間の範囲にある。光源は、ライトチューブの代わりに、個々のランプであってもよく、たとえば点状または矩形であってもよい。作用を増強するために、リフレクタを設けることもできる。さらに、ライトチューブを沈めるように装備することもできる。
【００２９】
さらに、特に図１からは、基板１６が電解溶液４の液面の完全に下に延びており、従って完全に沈んでいることが、明らかである。従って接触ローラ２０のアウターリング２６も、電解溶液１４内に延びている。本発明の他の形態においては、電解溶液の液面はもっと低く、たとえば破線で示す高さ１４’に延びているので、まさに基板１６の下側が濡らされる。これが、基板１６の上側が乾いたままであること、従って接触ローラ２０ないしそのアウターリング２６が電解溶液から自由であることを、可能にする。
【００３０】
基板１６を電気メッキするために、電流源１３に電気的に接触させるために、接触ローラ２０を効果的に使用する他に、この接触ローラは、基板に、たとえば基板１６として設備を通って延びる、ソーラーモジュールに、保護電位を印加するために用いることができる。保護陽極は、犠牲陽極として形成することができる。同様に、それによって腐食を防止することができる。従ってここでは、電流源は接続されない。ソーラーモジュールは、後ろ側にアルミニウム層を有している。接触ローラ２０を介してこのアルミニウム層が接触されて、導体配置２１を介して保護電位に接続された場合に、アルミニウムの溶解を阻止することができる。この場合においては、たとえば上述したライトチューブ４２による電気メッキ電流の発生が、特に効果的であろう。
【００３１】
さらに、保護陽極を設けることができ、それは陰極ないし電極１５に対して距離をおいて、かつそれに対して並列に配置することができる。その保護陽極は、可溶性または不溶性に形成することができる。保護電位は、保護陽極を用いて、場合によっては接触ローラ２０も用いて、印加することができる。これは、ストリップ駆動において、従って極性の反転によって望ましくないコーティングが除去される場合に、行うことができる。特に接触ローラによって、それによって望ましくないコーティングを除去することができ、ここでは、基板を相手側電極として利用することができる。接触ローラの持ち上げられた位置において、接触ローラを保護陽極として利用することが可能である。さらに、中断されない、一貫したコーティング駆動のためには、常に接触ローラが基板に添接される。すなわち、接触ローラは、たとえば交互に、コーティングを除去するために持ち上げられ、基板を接触させるために下降させることができる。
【００３２】
保護電位の印加は、全体として、かつローカルにも調節可能ないし閉ループ制御可能ないし開ループ制御可能とすることができる。これは、１つまたは複数の整流器を介して行うことができる。場合によっては、これは、接触ローラのグループまたは特に個々の接触ローラについても、当てはまるので、コーティングの除去を、特に個々の接触ローラにおいて、所望に行うこともできる。すなわち、他の接触ローラが、さらに接触機能を満たすことができる。
【図面の簡単な説明】
【００３３】
【図１】軸上の本発明に基づく接触手段を通過方向に見る上面図である。
【図２】図１に基づく接触手段を著しく拡大して表示している。
【図３】接触手段を有する電気メッキ装置を示す側面図である。
【図１】
2009503263.tif 000003
【図２】
2009503263.tif 000004
【図３】
2009503263.tif 000005
【国際調査報告】
2009503263.tif 000006
2009503263.tif 000007
2009503263.tif 000008
2009503263.tif 000009
2009503263.tif 000010
2009503263.tif 000011